(57)【要約】【課題】記録媒体に予め記録されたデータのうち特定のデータのみ再生することを可能せしめる情報記録装置及び情報記録制御プログラムを提供することである。【解決手段】転写禁止データを含むデータが予め記録されている再記録禁止領域と記録が可能な記録可能領域とを有する記録媒体から当該記録媒体を識別する識別情報を検出し、この検出された識別情報に基づいてデータの記録開始位置を特定し、この特定されたデータの記録開始位置のうち、転写禁止データの記録開始位置を除外して目次情報を生成し、記録媒体の記録可能領域に記録する。【選択図】図３
2005235328.tif 000002
【特許請求の範囲】
【請求項１】
転写禁止データを含むデータが予め記録されている再記録禁止領域と記録が可能な記録可能領域とを有する記録媒体への情報の記録が可能な情報記録装置であって、
前記記録媒体を識別する識別情報を検出する検出手段と、
前記検出された識別情報に基づいて前記転写禁止データを含むデータの記録開始位置を特定する特定手段と、
前記特定された記録開始位置から前記転写禁止データの記録開始位置を除外して目次情報を生成する目次情報生成手段と、
前記生成された目次情報を前記記録媒体の記録可能領域に記録する記録制御手段と、
を備えたことを特徴とする情報記録装置。
【請求項２】
記録対象データを取得する取得手段をさらに備え、
前記特定手段は、前記取得された記録対象データの記録開始位置を特定し、
前記目次情報生成手段は、前記特定された記録開始位置と前記転写禁止データの記録開始位置を除外した記録開始位置とから目次情報を生成し、
前記記録制御手段は、前記生成された目次情報を前記記録媒体の記録可能領域に記録した後、前記特定された記録対象データの記録開始位置に基づいて前記記録対象データを前記記録媒体の記録可能領域に記録することを特徴とする請求項１に記載の情報記録装置。
【請求項３】
前記取得された記録対象データに基づいて当該記録対象データのファイル形式を所定のファイル形式に変換するデータ処理手段をさらに備え、
前記特定手段は、前記変換された記録対象データの記録開始位置を特定し、
前記目次情報生成手段は、前記特定された記録開始位置と前記転写禁止データの記録開始位置を除外した記録開始位置とから目次情報を生成し、
前記記録制御手段は、前記生成された目次情報を前記記録媒体の記録可能領域に記録した後、前記特定された変換された記録対象データの記録開始位置に基づいて前記変換された記録対象データを前記記録媒体の記録可能領域に記録することを特徴とする請求項２に記載の情報記録装置。
【請求項４】
前記記録制御手段は、前記記録媒体の記録可能領域の最も内側の領域に前記目次情報を記録することを特徴とする請求項１〜３の何れか一項に記載の情報記録装置。
【請求項５】
転写禁止データを含むデータが予め記録されている再記録禁止領域と記録が可能な記録可能領域とを有する記録媒体への情報の記録が可能なコンピュータに、
前記記録媒体を識別する識別情報を検出する検出機能と、
前記検出された識別情報に基づいて前記転写禁止データを含むデータの記録開始位置を特定する特定機能と、
前記特定された記録開始位置から前記転写禁止データの記録開始位置を除外して目次情報を生成する目次情報生成機能と、
前記生成された目次情報を前記記録媒体の記録可能領域に記録する記録制御機能と
を実現させる情報記録制御プログラム。
【請求項６】
前記コンピュータに、
記録対象データを取得する取得機能をさらに実現させ、
前記特定機能は、前記取得された記録対象データの記録開始位置を特定し、
前記目次情報生成機能は、前記特定された記録開始位置と前記転写禁止データの記録開始位置を除外した記録開始位置とから目次情報を生成し、
前記記録制御機能は、前記生成された目次情報を前記記録媒体の記録可能領域に記録した後、前記特定された記録対象データの記録開始位置に基づいて前記記録対象データを前記記録媒体の記録可能領域に記録することを特徴とする請求項５に記載の情報記録制御プログラム。
【請求項７】
前記コンピュータに、
前記取得された記録対象データに基づいて当該記録対象データのファイル形式を所定のファイル形式に変換するデータ処理機能をさらに実現させ、
前記特定機能は、前記変換された記録対象データの記録開始位置を特定し、
前記目次情報生成機能は、前記特定された記録開始位置と前記転写禁止データの記録開始位置を除外した記録開始位置とから目次情報を生成し、
前記記録制御機能は、前記生成された目次情報を前記記録媒体の記録可能領域に記録した後、前記特定された変換された記録対象データの記録開始位置に基づいて前記変換された記録対象データ前記記録媒体の記録可能領域に記録することを特徴とする請求項６に記載の情報記録制御プログラム。
【請求項８】
前記記録制御機能は、前記記録媒体の記録可能領域の最も内側の領域に前記目次情報を記録することを特徴とする請求項５〜７の何れか一項に記載の情報記録制御プログラム。
【発明の詳細な説明】
【技術分野】
【０００１】
本発明は、記録媒体に記録を行う情報記録装置及び情報記録制御プログラムに関する。
【背景技術】
【０００２】
近年、写真に関連する様々なサービスが提供されるようになってきている。例えば、ユ
ーザがデジタルカメラで写真を撮影し、写真の画像ファイルを記録したデジタルカメラや
デジタルカメラ用メディアをミニラボ等の写真店に持ち込み、店舗内に設けられた無人端
末（キオスク）や店頭端末等を用いて、デジタルカメラやメディアに記録された画像データをＣＤ−Ｒ、ＤＶＤ−Ｒ等のディスク型記録媒体に書き込むことができる。
【０００３】
また、デジタルカメラやメディア、フィルムから読み取った画像データを、例えば、
ＤＶＤプレーヤやＤＶＤレコーダのような画像再生機器で再生することができるようにフ
ァイル形式を変換し、元の画像データと変換した画像データとをＣＤ−Ｒ、ＤＶＤ−Ｒ等のディスク型記録媒体に書き込むサービスも行われている。
【０００４】
一方、ディスク型記録媒体に対し、再書込みを禁止する記録領域と、再記録可能な記録領域とを設けた記録媒体が提案されている（例えば、特許文献１参照。）。このようなディスク型記録媒体を利用することによって、例えば、再書込み禁止記録領域にアプリケーションプログラムやコンテンツデータ等のデータを予め記録しておき、再記録可能記録領域にデジタルカメラやメディアに記録された画像データ等を記録することができる。
【特許文献１】特開２０００−１１４７６号公報
【発明の開示】
【発明が解決しようとする課題】
【０００５】
しかしながら、特許文献１では、ディスク型記録媒体の情報を管理するための目次情報であるＴＯＣ情報が予め記録されているため、ディスク型記録媒体中の再書込み禁止記録領域に記録されている全てのデータは、ＴＯＣ（Table Of Contents）情報を読み取り可能なパソコン等の再生装置により読み込むことが可能である。したがって、例えば、再書込み禁止記録領域に記録されたデータのうち著作権を伴うような転写禁止データの再生を不可能とし、それ以外のデータのみ再生することを可能としたいような場合には適用することはできない。
【０００６】
本発明の課題は、記録媒体に記録されたデータのうち特定のデータのみ再生することを可能せしめる情報記録装置及び情報記録制御プログラムを提供することである。
【課題を解決するための手段】
【０００７】
上記課題を解決するために、請求項１に記載の発明は、
転写禁止データを含むデータが予め記録されている再記録禁止領域と記録が可能な記録可能領域とを有する記録媒体への情報の記録が可能な情報記録装置であって、
前記記録媒体を識別する識別情報を検出する検出手段と、
前記検出された識別情報に基づいて前記転写禁止データを含むデータの記録開始位置を特定する特定手段と、
前記特定された記録開始位置から前記転写禁止データの記録開始位置を除外して目次情報を生成する目次情報生成手段と、
前記生成された目次情報を前記記録媒体の記録可能領域に記録する記録制御手段と、
を備えたことを特徴としている。
【０００８】
ここで、「記録媒体」とは、ＣＤ−Ｒ、ＣＤ−ＲＷ、ＤＶＤ−ＲＡＭ、ＤＶＤ±Ｒ、ＤＶＤ±ＲＷ、ブルーレイディスク、ＭＯディスク等のディスク型記録媒体である。
【０００９】
また、目次情報とは、記録媒体上に記録されたデータのアドレスを示す記録開始位置を予め記録したＴＯＣ情報等の情報であり、この目次情報に基づいて記録媒体に記録されたデータが読み出される。
【００１０】
請求項２に記載の発明は、請求項１に記載の発明において、
記録対象データを取得する取得手段をさらに備え、
前記特定手段は、前記取得された記録対象データの記録開始位置を特定し、
前記目次情報生成手段は、前記特定された記録開始位置と前記転写禁止データの記録開始位置を除外した記録開始位置とから目次情報を生成し、
前記記録制御手段は、前記生成された目次情報を前記記録媒体の記録可能領域に記録した後、前記特定された記録対象データの記録開始位置に基づいて前記記録対象データを前記記録媒体の記録可能領域に記録することを特徴としている。
【００１１】
請求項３に記載の発明は、請求項２に記載の発明において、
前記取得された記録対象データに基づいて当該記録対象データのファイル形式を所定のファイル形式に変換するデータ処理手段をさらに備え、
前記特定手段は、前記変換された記録対象データの記録開始位置を特定し、
前記目次情報生成手段は、前記特定された記録開始位置と前記転写禁止データの記録開始位置を除外した記録開始位置とから目次情報を生成し、
前記記録制御手段は、前記生成された目次情報を前記記録媒体の記録可能領域に記録した後、前記特定された変換された記録対象データの記録開始位置に基づいて前記変換された記録対象データを前記記録媒体の記録可能領域に記録することを特徴としている。
【００１２】
ここで、「所定のファイル形式に変換する」とは、記録対象データのファイル名やファイル構造を所定の形式に従うように再生成することや、記録対象データのデータ形式を異なるデータ形式に変換することを意味する。
【００１３】
請求項４に記載の発明は、請求項１〜３の何れか一項に記載の発明において、
前記記録制御手段は、前記記録媒体の記録可能領域の最も内側の領域に前記目次情報を記録することを特徴としている。
【００１４】
また、上記課題を解決するために、請求項５に記載の発明は、
転写禁止データを含むデータが予め記録されている再記録禁止領域と記録が可能な記録可能領域とを有する記録媒体への情報の記録が可能なコンピュータに、
前記記録媒体を識別する識別情報を検出する検出機能と、
前記検出された識別情報に基づいて前記転写禁止データを含むデータの記録開始位置を特定する特定機能と、
前記特定された記録開始位置から前記転写禁止データの記録開始位置を除外して目次情報を生成する目次情報生成機能と、
前記生成された目次情報を前記記録媒体の記録可能領域に記録する記録制御機能と
を実現させる。
【００１５】
ここで、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えば、パソコン、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等）を問わない。したがって、本発明に係るプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１６】
請求項６に記載の発明は、請求項５に記載の発明において、
前記コンピュータに、
記録対象データを取得する取得機能をさらに実現させ、
前記特定機能は、前記取得された記録対象データの記録開始位置を特定し、
前記目次情報生成機能は、前記特定された記録開始位置と前記転写禁止データの記録開始位置を除外した記録開始位置とから目次情報を生成し、
前記記録制御機能は、前記生成された目次情報を前記記録媒体の記録可能領域に記録した後、前記特定された記録対象データの記録開始位置に基づいて前記記録対象データを前記記録媒体の記録可能領域に記録することを特徴としている。
【００１７】
請求項７に記載の発明は、請求項６に記載の発明において、
前記コンピュータに、
前記取得された記録対象データに基づいて当該記録対象データのファイル形式を所定のファイル形式に変換するデータ処理機能をさらに実現させ、
前記特定機能は、前記変換された記録対象データの記録開始位置を特定し、
前記目次情報生成機能は、前記特定された記録開始位置と前記転写禁止データの記録開始位置を除外した記録開始位置とから目次情報を生成し、
前記記録制御機能は、前記生成された目次情報を前記記録媒体の記録可能領域に記録した後、前記特定された変換された記録対象データの記録開始位置に基づいて前記変換された記録対象データ前記記録媒体の記録可能領域に記録することを特徴としている。
【００１８】
請求項８に記載の発明は、請求項５〜７の何れか一項に記載の発明において、
前記記録制御機能は、前記記録媒体の記録可能領域の最も内側の領域に前記目次情報を記録することを特徴としている。
【発明の効果】
【００１９】
請求項１又は請求項５に記載の発明によれば、転写禁止データを含むデータが予め記録されている再記録禁止領域と記録が可能な記録可能領域とを有する記録媒体から当該記録媒体を識別する識別情報を検出し、この検出された識別情報に基づいてデータの記録開始位置を特定し、この特定されたデータの記録開始位置のうち、転写禁止データの記録開始位置を除外して目次情報を生成し、記録媒体の記録可能領域に記録することにより、目次情報を読み取り可能な装置において、転写禁止データの再生を不可能とすることが可能であり、転写禁止データ以外のデータのみ再生を可能とすることができる。これにより、転写禁止データが著作権等を伴うようなデータであっても保護することが可能である。
【００２０】
請求項２又は請求項６の発明によれば、記録対象データを取得し、この取得された記録対象データの記録開始位置を特定し、この前記特定された記録開始位置と前記転写禁止データの記録開始位置を除外した記録開始位置とから目次情報を生成して記録媒体の記録可能領域に記録した後、特定された記録対象データの記録開始位置に基づいて記録対象データを記録媒体の記録可能領域に記録することにより、識別情報を識別することが可能な情報記録装置又は情報記録制御プログラムのみが目次情報を生成し記録媒体の記録可能領域に記録することが可能であり、この記録媒体の記録可能領域に記録対象データを記録することができる。
【００２１】
また、目次情報を読み取り可能な装置において、転写禁止データの再生を不可能とすることが可能であり、転写禁止データ以外のデータのみ再生を可能とすることができる。これにより、転写禁止データが著作権等を伴うようなデータであっても保護することが可能である。
【００２２】
請求項３又は請求項７の発明によれば、取得された記録対象データのファイル形式に基づいてこの記録対象データのファイル形式を所定のファイル形式に変換し、この変換された記録対象データの記録開始位置を特定し、この特定された記録開始位置と前記転写禁止データの記録開始位置を除外した記録開始位置とから目次情報を生成して記録媒体の記録可能領域に記録した後、変換された記録対象データの記録開始位置に基づいて変換された記録対象データを記録媒体の記録可能領域に記録することにより、識別情報を識別することが可能な情報記録装置又は情報記録制御プログラムのみが目次情報を生成し前記記録媒体の記録可能領域に記録することが可能であり、この記録媒体の記録可能領域に所定のファイル形式に変換された記録対象データを記録することができる。
【００２３】
また、目次情報を読み取り可能な装置において、転写禁止データの再生を不可能とすることが可能であり、転写禁止データ以外のデータのみ再生を可能とすることができる。これにより、転写禁止データが著作権等を伴うようなデータであっても保護することが可能である。
【００２４】
請求項４又は請求項８の発明によれば、記録媒体の記録可能領域の最も内側の領域に目次情報を記録するため、目次情報を認識することが可能な再生装置で記録媒体に記録されたデータを取り扱うことが可能となる。また、最も内側の領域に記録することにより、再生装置で目次情報の読み込みを効率的に行うことができる。
【発明を実施するための最良の形態】
【００２５】
以下、図を参照して、本発明を実施するための最良の形態を詳細に説明する。
図１に本実施の形態に係る情報記録装置１の外観構成を示す。
図１に示すように、情報記録装置１は、スマートメディア、コンパクトフラシュ、メモリースティック、ＳＤメモリーカード、マルチメディアカード、インフォ・マイカ（Info-MICA：Information-Multilayered Imprinted Card（登録商標））等の記録メディアＭを装填するメディア装填部１６ａと、ＣＤ−ＲやＤＶＤ−Ｒ、ブルーレイディスク等の記録媒体Ｄを装填する記録媒体装填部１６ｂと、ボタン、キーボード、マウス等を有する入力部１１及びＬＣＤ（Liquid Crystal Display）、ＣＲＴ（Cathode Ray Tube）等を有する表示部１２とを備えている。なお、図示しないが、筐体の内部には後述する特定手段、目次情報生成手段及び記録制御手段としての制御部１０が格納されている。
【００２６】
なお、図１ではパソコン型の情報記録装置１を記載しているが、情報記録装置１の形態はこれに限定されず、例えば、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等としてもよい。
【００２７】
次に、情報記録装置１の機能的構成を図２のブロック図を用いて説明する。図２において、情報記録装置１は、制御部１０、入力部１１、表示部１２、通信制御部１３、ＲＡＭ（Random Access Memory）１４、記憶部１５、取得記録部１６、検出部１７、データ処理部１８等から構成されており、各部はバス１９により接続されている。
【００２８】
制御部１０は、図示しないＣＰＵ（Central Processing Unit）等から構成され、記憶部１５に格納された各種プログラムを読み出し、ＲＡＭ１４に展開し、該制御プログラムに従って各部の動作を集中処理する。また、制御部１０は、ＲＡＭ１４に展開したプログラムに従って各種処理を実行し、その処理結果をＲＡＭ１４に格納するとともに、表示部１２に表示させる。そして、ＲＡＭ１４に格納した処理結果を記憶部１５の所定の保存先に保存させる。
【００２９】
制御部１０は、記録媒体装填部１６ｂに装填される記録媒体Ｄから識別情報を検出する制御を検出部１７に行う。また、検出部１７により、識別情報が検出されると、当該識別情報に基づいて記録媒体Ｄに記録されたデータの記録開始アドレスを特定し、この記録開始アドレスのうち特定のデータの記録開始アドレスが含まれるＴＯＣ情報を生成する。また、通信制御部１３を介して入力されるデータや取得記録部１６に装填される記録媒体からデータを取得して開始アドレスを特定し、この開始アドレスを含んだＴＯＣ情報を生成する。また、取得されたデータに対して、ファイル名、ディレクトリ構成の再生成やデータ形式の変換を制御し、変換されたデータの開始アドレスを特定して、この開始アドレスを含んだＴＯＣ情報を生成する。
【００３０】
また、制御部１０は、取得記録部１６を制御して、メディア装填部１６ａ又は記録媒体装填部１６ｂに装填された記録媒体に対し、各種データの記録を行う。
【００３１】
入力部１１は、カーソルキー、数字入力キー及び各種機能キー等を備えたキーボードと、マウス等のポインティングデバイスを備えて構成され（何れも図示略）、キーボードに対するキー操作やマウス操作により入力された指示信号を制御部１０に出力する。また、入力部１１は、表示部１２の表示画面に設けられたタッチパネルを備えても良く、このタッチパネルを介して入力された指示信号を制御部１０に出力する。
【００３２】
表示部１２は、図１で示したＬＣＤやＣＲＴ等により構成され、制御部１０から入力される表示信号の指示に従って、入力部１１からの入力指示や画像等を表示画面上に表示させる。
【００３３】
通信制御部１３は、ＬＡＮやＷＡＮ、或いはインターネット等の通信ネットワークＮに接続された伝送媒体に接続可能なインターフェイスであり、モデム又はターミナルアダプタ等によって構成される。通信制御部１４は、電話回線網、ＩＳＤＮ回線網、専用線、移動体通信網、通信衛星回線、ＣＡＴＶ回線網等の通信回線を介して外部記憶装置との通信を行うための制御を行う。
【００３４】
ＲＡＭ１４は、書き換え可能な半導体素子で構成されており、制御部１０によって実行される各種プログラムやこれら各種プログラムによって処理されたデータ等を一時的に記憶するワークエリアを形成する。
【００３５】
記憶部１５は、プログラムやデータ等予め記憶されている記録媒体（不図示）を有しており、この記録媒体は磁気的、光学的記録媒体、若しくは半導体メモリで構成されている。この記録媒体は、記憶部１５に固定的に設けられるもの、若しくは着脱自在に装着するものであり、この記録媒体には、システムプログラム、当該システムに対応する各種処理プログラム、及び各種処理プログラムで処理されたデータ等を記憶する。なお、プログラムは、コンピュータが読取可能なプログラムコードの形態で格納され、制御部１０は、当該プログラムコードに従った動作を逐次実行する。
【００３６】
取得記録部１６は、メディア装填部１６ａと記録媒体装填部１６ｂとを有し、制御部１０の制御に従い、記録媒体に記録された各種データの取得を行う。また、取得記録部１６は、制御部１０の制御に従い、上記した記録媒体に対し、各種データの記録を行う。なお、本実施の形態では、データの取得と記録を一つの手段として構成したが、別々の手段として構成されるとしてもよい。
【００３７】
検出部１７は、識別情報検出手段として、記録媒体に記録された識別情報又はＣＤ−Ｒのレーベル面等に備えられたＩＣチップ、バーコード、二次元バーコード等に含まれる識別情報を検出して、その検出結果を制御部１０に出力する。なお、ここで識別情報とは、記録媒体が後述する情報記録制御処理を許可された記録媒体であるか否かを判定するために利用される情報を意味し、例えば、記録媒体に与えられる固有の情報、製造会社名、製造番号、使用可能なソフトウェア名、機種名等が含まれた情報を用いることができ、識別情報が付帯されていれば、後述する情報記録制御処理が許可された記録媒体と判断される。なお、識別情報は、情報記録装置１で検出可能に付帯されていればよく、ＣＤ−Ｒのどの領域に記録されていてもよいし、特定の情報記録装置１で読み取れるように暗号化されて付帯されていてもよい。
【００３８】
データ処理部１８は、制御部１０の制御に従い、取得記録部１６により取得されたデータのデータ形式に基づいて当該取得されたデータのデータ形式の変換を行う。具体的には、取得されたデータが特定の再生装置でしか再生できないようなデータ形式であった場合、多くの再生装置で再生することが可能なデータ形式に変換する。
【００３９】
ここで、データ処理部１８により行われるデータ形式の変換について説明する。
記録カードＭ、記録媒体Ｄ等の記録媒体に記録されたデータが、例えば、ＪＰＥＧ形式の静止画像データやＡＶＩ形式の動画データであった場合、これらのデータは、主にパソコンでの再生を前提としたデータ形式で生成されているためパソコンでの再生は可能であるが、ＤＶＤプレーヤやゲーム機等の他の再生装置（以下、再生装置という。）では再生できないことがある。そのため、データ処理部１８では、データ形式を変換することにより、パソコン以外の再生装置においてもデータの再生を可能とする。
【００４０】
具体的には、記録カードＭ、記録媒体Ｄ等の記録媒体に記録された、静止画像データ、動画データ及び音データをＭＰＶ（Music Photo Video）規格、ＨｉｇｈＭＡＴ（High-Performance Media Access Technology（登録商標））規格に準拠した形式に変換し、記録媒体に記録することにより、当該規格に準拠した再生装置でデータを再生することが可能となる。また、記録媒体Ｄに記録されたデータがＡＶＩ形式の動画データであった場合、当該画像データのデータ形式をＭＰＥＧ２形式に変換しＤＶＤ形式の記録媒体Ｄに記録すれば、ＤＶＤ−Ｖｉｄｅｏ形式の記録媒体Ｄを作成することができ、ＭＰＥＧ１形式に変換しＣＤ形式の記録媒体Ｄに記録すれば、Ｖｉｄｅｏ−ＣＤ形式の記録媒体Ｄを作成することができる。このように、特定の再生装置で再生可能なデータに加え、様々な再生装置で再生可能なデータ形式に変換したデータを記録媒体に記録することにより、ＤＶＤプレーヤやゲーム機等のパソコン以外の再生装置においてもデータを再生することが可能となる。
【００４１】
なお、再生装置で再生可能とするために必要となる再生指示用のメタファイル等は、データ処理部１８によるデータ形式の変換の際に生成されるものとし、また、再生装置で再生可能とするために必要となる所定のディレクトリ構造、ファイル名等は、データ形式変換の際や記録媒体にデータ形式変換済みデータの記録が行われる際に制御部１０の制御により所定の形式に変換されるものとする。
【００４２】
なお、データ形式の変換は、上述した例に限定されず、他のデータ形式に変換することとしてもよい。また、多くの再生装置で再生可能なデータ形式を、特定の装置でのみ再生可能なデータ形式に変換することとしてもよい。
【００４３】
次に、本実施の形態の動作を実施例１、実施例２及び実施例３に分けて説明する。
動作説明の前提として、以下のフローチャートに記述されている各処理を実現するためのプログラムは、コンピュータが読み取り可能なプログラムコードの形態で記憶部１５に記録されており、制御部１０は、当該プログラムコードに従った動作を実行する。
【００４４】
[実施例１]
本実施例１では、データＡとデータＢとが記録された再記録禁止領域及び記録が可能な記録可能領域を有するＣＤ−Ｒが記録媒体装填部１６ｂに装填された後、このＣＤ−Ｒに予め記録されたデータＡのＴＯＣ情報が記録されるまでの処理の流れを示す。なお、データＢは著作権を伴う転写禁止データであるとし、このＣＤ−Ｒには、データＡ及びデータＢに関するＴＯＣ情報が記録されていないものとする。
【００４５】
以下、図３、４を参照して本実施例１について説明する。
まず、記録媒体装填部１６ｂにＣＤ−Ｒが装填されると、識別情報検出部１８により識別情報の検出が行われ（ステップＳ１１）、この検出結果が制御部１０に出力される。ここで、識別情報が検出されない場合（ステップＳ１１；Ｎｏ）、装填されたＣＤ−Ｒの排出が行われ（ステップＳ１２）、識別情報が検出できない旨の表示が表示部１２に表示される。
【００４６】
一方、識別情報が検出された場合は（ステップＳ１１；Ｙｅｓ）、この検出された識別情報に基づいてデータＡの開始アドレスａ及びデータＢの開始アドレスｂが特定される（ステップＳ１３）。ここで、開始アドレスの特定は、識別情報に含まれる情報から一義的に導出できるよう予め設計されているものとし、例えば、識別情報に対応付けて開始アドレス情報、著作権情報、使用アプリケーション等の情報が予め記憶部１５等の記録媒体に記録されているとしてもよいし、通信制御部１３を介して識別情報を管理するサーバ等から開始アドレス情報、著作権情報、使用アプリケーション等の情報を取得することとしてもよい。
【００４７】
続いて、ステップＳ１３で特定された開始アドレスａ及び開始アドレスｂのうち、データＡの開始アドレスａを含むＴＯＣ情報が生成され（ステップＳ１４）、このＴＯＣ情報が装填されたＣＤ−Ｒの最も内側の記録領域に記録されて（ステップＳ１５）、本処理は終了する。
【００４８】
図４を参照して、本実施例１の情報記録処理について説明する。図４（１）に示すように、データＡとデータＢとが記録された再記録禁止領域及び記録が可能な記録可能領域を有するＣＤ−Ｒが記録媒体装填部１６ｂに装填されると、ＣＤ−Ｒに記録された識別情報に基づいてデータＡの開始アドレスａ及びデータＢの開始アドレスｂが特定される（ステップＳ１３）。
【００４９】
次いで、特定された開始アドレスａ及び開始アドレスｂのうち、ＴＯＣ情報を読み取り可能な装置において、再生することを可能としたいデータＡの開始アドレスａのみを含むＴＯＣ情報が生成され（ステップＳ１４）、図４（２）で示すように、ＣＤ−Ｒの記録可能な最も内側の領域にこのＴＯＣ情報が記録される（ステップＳ１５）。
【００５０】
以上のように、本実施例１によれば、データＡとデータＢとが記録された再記録禁止領域及び記録が可能な記録可能領域を有するＣＤ−Ｒから当該ＣＤ−Ｒを識別する識別情報を検出し、この検出された識別情報に基づいてデータＡ及びデータＢの開始アドレスａ及び開始アドレスｂを特定することにより、識別情報を識別することが可能な情報記録装置１のみが再記録禁止領域に記録されたデータを再生することが可能である。
【００５１】
また、特定されたデータＡ及びデータＢの開始アドレスａ及び開始アドレスｂのうち、アドレスｂを除外したデータＡの開始アドレスａのみを含んだＴＯＣ情報を生成してＣＤ−Ｒの記録可能領域に記録することにより、ＴＯＣ情報を読み取り可能な装置において、このデータＡのみ再生することを可能とすることができ、データＢの再生を不可能とすることができる。また、ＴＯＣ情報を最も内側の領域に記録することにより、ＴＯＣ情報を認識することが可能な再生装置でＴＯＣ情報の読み込みを効率的に行うことができる。
【００５２】
このように、ＴＯＣ情報読み取り可能な再生装置において、再生を可能としたいデータの開始アドレスのみＴＯＣ情報として生成しＣＤ−Ｒに記録することにより、例えば、著作権等を伴うことにより転写禁止や特定の装置のみが利用することが可能なライセンスデータとライセンスフリーのライセンスフリーデータとが予め同一記録媒体に記録されているような場合であっても、識別情報を認識することが可能な装置でのみライセンスデータを取り扱うことが可能であり、識別情報を認識できない装置ではライセンスフリーデータのみ取り扱うことができる。なお、この場合、識別情報をライセンス情報として取り扱うことが好ましい。
【００５３】
[実施例２]
本実施例２では、データＡとデータＢとが記録された再記録禁止領域及び記録が可能な記録可能領域を有するＣＤ−Ｒが記録媒体装填部１６ｂに装填された後、このＣＤ−Ｒに対してデータＣが記録されるまでの処理の流れを示す。なお、データＢは著作権を伴う転写禁止データであるとし、このＣＤ−Ｒには、データＡ及びデータＢに関するＴＯＣ情報が記録されていないものとする。
【００５４】
以下、図５、６を参照して本実施例２について説明する。
まず、記録媒体装填部１６ｂにＣＤ−Ｒが装填されると、識別情報検出部１８により識別情報の検出が行われ（ステップＳ２１）、この検出結果が制御部１０に出力される。ここで、識別情報が検出されない場合（ステップＳ２１；Ｎｏ）、装填されたＣＤ−Ｒの排出が行われ（ステップS２２）、識別情報が検出できない旨の表示が表示部１２に表示される。
【００５５】
一方、識別情報が検出された場合は（ステップＳ２１；Ｙｅｓ）、この検出された識別情報に基づいてデータＡの開始アドレスａ及びデータＢの開始アドレスｂが特定される（ステップＳ２３）。ここで、開始アドレスａ及び開始アドレスｂの特定は、識別情報に含まれる情報から一義的に導出できるよう予め設計されているものとする。
【００５６】
続いて、通信制御部１３を介し又は取得記録部１６からデータＣが取得され（ステップＳ２４）、このデータＣをＣＤ−Ｒに記録する際の開始アドレスｃが特定される（ステップＳ２５）。ここで、データＣの開始アドレスの特定は、記録を行うＣＤ−Ｒの記録可能な領域量、記録を行うデータの容量、データ形式等に基づいて特定されるものとする。
【００５７】
次いで、ステップＳ２３で特定された開始アドレスａ及び開始アドレスｂのうち、アドレスｂを除外したデータＡの開始アドレスａとステップＳ２５で特定された開始アドレスｃとを含むＴＯＣ情報が生成され（ステップＳ２６）、このＴＯＣ情報がＣＤ−Ｒの最も内側の記録可能領域に記録される（ステップＳ２７）。そして、ステップＳ２５で特定された開始アドレスｃに基づいてデータＣがＣＤ−Ｒの記録可能領域に記録され（ステップＳ２８）、本処理は終了する。
【００５８】
図６を参照して、本実施例２の情報記録処理について説明する。図６（１）に示すように、データＡとデータＢとが記録された再記録禁止領域及び記録が可能な記録可能領域を有するＣＤ−Ｒが記録媒体装填部１６ｂに装填されると、ＣＤ−Ｒに記録された識別情報に基づいてデータＡの開始アドレスａ及びデータＢの開始アドレスｂが特定される（ステップＳ２３）。
【００５９】
次いで、ＣＤ−Ｒに記録を行うデータＣが読み込まれて、このデータＣの開始アドレスｃが特定される（ステップＳ２５）。次いで、先に特定された開始アドレスａ及び開始アドレスｂのうち、ＴＯＣ情報を読み取り可能な装置において、再生することを可能としたいデータＡの開始アドレスａとデータＣの開始アドレスｃを含むＴＯＣ情報が生成されて（ステップＳ２６）、図６（２）で示すように、ＣＤ−Ｒの記録可能な最も内側の領域にこのＴＯＣ情報が記録される（ステップＳ２７）。
【００６０】
続いて、データＣが特定された開始アドレスｃに基づいてＣＤ−Ｒの記録可能領域に記録される（ステップＳ２８）。なお、図６（２）では、データＣがＴＯＣ情報の外側の記録可能領域に記録された例を示しているが、これに限定されず、ＣＤ−Ｒの記録可能領域のどこに記録されてもよい。
【００６１】
以上のように、本実施例２によれば、データＡとデータＢとが記録された再記録禁止領域及び記録が可能な記録可能領域を有するＣＤ−Ｒから当該ＣＤ−Ｒを識別する識別情報を検出し、この検出された識別情報に基づいてデータＡ及びデータＢの開始アドレスａ及び開始アドレスｂを特定することにより、識別情報を識別することが可能な情報記録装置１のみが再記録禁止領域に記録されたデータを再生することが可能である。
【００６２】
また、特定されたデータＡ及びデータＢの開始アドレスａ及び開始アドレスｂのうち、データＡの開始アドレスａとデータＣの開始アドレスｃとを含むＴＯＣ情報を生成してＣＤ−Ｒの記録可能領域に記録することにより、ＴＯＣ情報を読み取り可能な装置において、このデータＡ及びデータＣの再生を可能とするとともに、データＢの再生を不可能とすることができる。また、ＴＯＣ情報を最も内側の領域に記録することにより、ＴＯＣ情報を認識することが可能な再生装置でＴＯＣ情報の読み込みを効率的に行うことができる。
【００６３】
[実施例３]
本実施例３では、データＡとデータＢとが記録された再記録禁止領域及び記録が可能な記録可能領域を有するＣＤ−Ｒが記録媒体装填部１６ｂに装填された後、このＣＤ−Ｒに対してデータＣの記録を行う際に、データＣのファイル名及びディレクトリ構成の再生成（以下、再生成済みのデータＣをデータＣ’という。）及びデータ形式の変換（以下、データ形式変換済みのデータＣをデータＤという。）を行った後、データＢ’及びデータＣがＣＤ−Ｒに記録されるまでの処理の流れを示す。なお、データＢは著作権を伴う転写禁止データであるとし、このＣＤ−Ｒには、データＡ及びデータＢに関するＴＯＣ情報が記録されていないものとする。
【００６４】
以下、図７、８を参照して本実施例３について説明する。
まず、記録媒体装填部１６ｂにＣＤ−Ｒが装填されると、識別情報検出部１８により識別情報の検出が行われ（ステップＳ３１）、この検出結果が制御部１０に出力される。ここで、識別情報が検出されない場合（ステップＳ３１；Ｎｏ）、装填されたＣＤ−Ｒの排出が行われ（ステップＳ３２）、識別情報が検出できない旨の表示が表示部１２に表示される。
【００６５】
一方、識別情報が検出された場合は（ステップＳ３１；Ｙｅｓ）、この検出された識別情報に基づいてデータＡの開始アドレスａ及びデータＢの開始アドレスｂが特定される（ステップＳ３３）。ここで、開始アドレスａ及び開始アドレスｂの特定は、識別情報に含まれる情報から一義的に導出できるよう予め設計されているものとする。
【００６６】
続いて、通信制御部１３を介し又は取得記録部１６からデータＣが取得され（ステップＳ３４）、データＣのファイル名、ディレクトリ構成が再生成されてデータＣ’が生成された後（ステップＳ３５）、データＣのデータ形式が変換されてデータＤが生成される（ステップＳ３６）。ここで、ファイル名、ディレクトリ構成の再生成は、例えば、データＣから、日時情報（ファイル作成日時等）やファイル名、ユーザに関する情報、ファイルを作成した装置やアプリケーションに関する情報、その他のベンダーユニークな情報等を読み取り、予め定めたルールに従って再生成が行われる。このように、ファイル名、ディレクトリ構成の再生成を行うことにより、データＣに含まれる静止画像データ等の情報の検索、管理を容易且つ効率的に行うことができる。
【００６７】
次いで、データＣ’及びデータＤをＣＤ−Ｒに記録する際の開始アドレスｂ’及びアドレスｃが特定される（ステップＳ３７）。ここで、アドレスｃ’及びアドレスｄの特定は、記録を行うＣＤ−Ｒの記録可能な領域量、記録を行うデータの容量、データ形式等に基づいて特定されるものとする。
【００６８】
次いで、ステップＳ３３で特定された開始アドレスａ及び開始アドレスｂのうち、アドレスｂを除外したデータＡの開始アドレスａとステップＳ３７で特定された開始アドレスｃ’及び開始アドレスｄを含むＴＯＣ情報が生成され（ステップＳ３８）、このＴＯＣ情報がＣＤ−Ｒの最も内側の記録可能領域に記録される（ステップＳ３９）。そして、そして、ステップＳ３７で特定された開始アドレスｃ’及び開始アドレスｄに基づいてデータＣ’及びデータＤが夫々ＣＤ−Ｒの記録可能領域に記録され（ステップＳ４０）、本処理は終了する。
【００６９】
図８を参照して、本実施例２の情報記録処理について説明する。図８（１）に示すように、データＡとデータＢとが記録された再記録禁止領域及び記録が可能な記録可能領域を有するＣＤ−Ｒが記録媒体装填部１６ｂに装填されると、ＣＤ−Ｒに記録された識別情報に基づいてデータＡの開始アドレスａ及びデータＢの開始アドレスｂが特定される（ステップＳ３３）。
【００７０】
次いで、ＣＤ−Ｒに記録を行うデータＣが読み込まれて、このデータＣのファイル名、ディレクトリ構成が再生成されて（ステップＳ３５）、データＣ’が生成される。さらに、データＣのデータ形式が変換されて（ステップＳ３６）、データＤが生成され、データＣ’の開始アドレスｃ’及びデータＤの開始アドレスｄが特定される（ステップＳ３７）。
【００７１】
続いて、先に特定された開始アドレスａ及び開始アドレスｂのうち、ＴＯＣ情報を読み取り可能な装置において、再生することを可能としたいデータＡの開始アドレスａとデータＣ’の開始アドレスｃ’とデータＤの開始アドレスｄとを含むＴＯＣ情報が生成されて（ステップＳ３８）、図６（２）で示すように、ＣＤ−Ｒの記録可能な最も内側の領域にこのＴＯＣ情報が記録される（ステップＳ３９）。
【００７２】
次いで、データＣ’及びデータＤがそれぞれ特定された開始アドレスｃ’及び開始アドレスｄに基づいてＣＤ−Ｒの記録可能領域に記録される（ステップＳ４０）。なお、図８（２）では、データＣ’及びデータＤがＴＯＣ情報の外側の記録可能領域に記録された例を示しているが、これに限定されず、ＣＤ−Ｒの記録可能領域のどこに記録されてもよい。また、データＤの外側にデータＣ’が記録された例を示しているが、これに限定されず、データＣ’の外側にデータＤが記録されることとしてもよい。
【００７３】
上記手順でファイル名、フォルダ構成再生成後のデータＣ’及びデータ形式変換後のデータＤが記録されたＣＤ−Ｒは、例えば、図９に示すようなファイルツリー構造となり、再生装置で再生するデータが格納される再生装置用データ格納部と、パソコンで再生するデータが格納されるパソコン用データ格納部とを含むように構成される。
【００７４】
上記再生装置用データ格納部には、例えば、動画データ格納するフォルダ（MPEGAV）と、静止画像データや音声データを格納するフォルダ（SEGMENT）と、データをＶｉｄｅｏ−ＣＤ形式用データ等として関連付けるファイルや再生情報ファイルを格納するフォルダ（VCD）とが含まれている。
【００７５】
また、パソコン用データ格納部には、例えば、各種データを一括して管理するためのフォルダ（PSD）が生成され、この下位の階層には、ロールを管理するためのフォルダ（PS_Roll）が生成され、そのフォルダ内にロール毎のデータを格納するサブフォルダ（RO2004010300010001等）が生成され、例えば、そのサブフォルダ内に静止画像データ（OR0401030001.jpg、OR0401020002.jpg等）と動画データ（OR0401030004.avi等）と音データ（OR0401030005.wav等）等が格納される。ここで、ロールとは、フィルムカメラにおけるフィルムに相当し、撮影日毎、予め設定された画像数やデータ量毎等の基準に応じて分類される単位をいう。
【００７６】
なお、図９のファイルツリー構成は例示であり、静止画像データ、動画データ及び音データ以外にパソコン及び再生装置で実行可能なアプリケーションや、静止画像データに対応するサムネイルデータ等を含める構成としてもよい。
【００７７】
以上のように、本実施例３によれば、データＡとデータＢとが記録された再記録禁止領域及び記録が可能な記録可能領域を有するＣＤ−Ｒから当該ＣＤ−Ｒを識別する識別情報を検出し、この検出された識別情報に基づいてデータＡ及びデータＢの開始アドレスａ及び開始アドレスｂを特定することにより、識別情報を識別することが可能な情報記録装置１のみが再記録禁止領域に記録されたデータを再生することが可能である。
【００７８】
また、特定されたデータＡ及びデータＢの開始アドレスａ及び開始アドレスｂのうち、データＡの開始アドレスａとデータＣ’の開始アドレスｃ’とデータＤの開始アドレスｄとを含んだＴＯＣ情報を生成してＣＤ−Ｒの記録可能領域に記録することにより、ＴＯＣ情報を読み取り可能な装置において、このデータＡ、データＣ’及びデータＤを再生することを可能とすることができ、データＢを再生不可能とすることができる。また、ＴＯＣ情報を最も内側の領域に記録することにより、ＴＯＣ情報を認識することが可能な再生装置でＴＯＣ情報の読み込みを効率的に行うことができる。
【００７９】
このように、ＴＯＣ情報読み取り可能な再生装置において、再生を可能としたいデータの開始アドレスのみＴＯＣ情報として生成しＣＤ−Ｒに記録することにより、例えば、著作権等を伴うことにより転写禁止や特定の装置のみが利用することが可能なライセンスデータとライセンスフリーのライセンスフリーデータとが予め同一記録媒体に記録されているような場合であっても、識別情報を認識することが可能な装置でのみライセンスデータを取り扱うことが可能であり、識別情報を認識できない装置ではライセンスフリーデータのみ取り扱うことができる。なお、この場合、識別情報をライセンス情報として取り扱うことが好ましい。
【００８０】
なお、本実施例３では、データＣ’及びデータＤを記録することとしたが、これに限らず、何れか一方であってもよい。また、外部から取得したデータＣに対してファイル名、ディレクトリ構成の再生成及びデータ形式の変換を施すこととしたが、これに限定されず、予め記録されたデータＡ又はデータＢに対して施すこととしてもよい。例えば、著作権等を伴うデータＢへの編集、加工処理等が許可されている場合、データＢに対し処理を施しデータＤとして生成することで、ＴＯＣ情報を読み取り可能な装置で再生することが可能な形態で記録することができる。
【００８１】
なお、本実施の形態では、ＴＯＣ情報をＣＤ−Ｒの最も内側の記録可能領域に記録することとしたが、これに限らず、ＴＯＣ情報領域として機能するのであれば記録可能領域中任意の場所に記録することとしてもよい。また、予めＴＯＣ情報がＣＤ−Ｒに記録されていない例を示したが、これに限らず、ＴＯＣ情報が予めＣＤ−Ｒに記録されていてもよい。
【００８２】
また、本実施の形態では、記録媒体としてＣＤ−Ｒを使用する例を示したが、これに限定されず、ＣＤ−ＲＷ，ＤＶＤ±Ｒ、ＤＶＤ±ＲＷ、ＤＶＤ−ＲＡＭ、ブルーレイディスク、ＭＯディスク等のディスク型記録媒体であってもよい。
【００８３】
本実施の形態における記述は、本発明に係る情報記録装置の一例を示すものであり、これに限定されるものではない。本実施の形態における情報記録装置１の細部構成及び詳細動作に関しては、本発明の趣旨を逸脱しない範囲で適宜変更可能である。
【図面の簡単な説明】
【００８４】
【図１】情報記録装置１の構成を模式的に示す図である。
【図２】情報記録装置１の構成を示すブロック図である。
【図３】本実施例１における情報記録制御処理の手順を示すフローチャート図である。
【図４】本実施例１におけるＣＤ−Ｒに記録されたデータ構成を模式的に示す図である。
【図５】本実施例２における情報記録制御処理の手順を示すフローチャート図である。
【図６】本実施例２におけるＣＤ−Ｒに記録されたデータ構成を模式的に示す図である。
【図７】本実施例３における情報記録制御処理の手順を示すフローチャート図である。
【図８】本実施例３におけるＣＤ−Ｒに記録されたデータ構成を模式的に示す図である。
【図９】本実施例３におけるＣＤ−Ｒに記録されたデータＣ’及びデータＤのディレクトリ構成の一例を示す図である。
【符号の説明】
【００８５】
１  情報記録装置
１０  制御部
１１  入力部
１２  表示部
１３  通信制御部
１４  ＲＡＭ
１５  記憶部
１６  取得記録部
１６ａ  メディア装填部
１６ｂ  記録媒体装填部
１７  識別情報検出部
１８  データ処理部
１９  バス
【図１】
2005235328.tif 000003
【図２】
2005235328.tif 000004
【図３】
2005235328.tif 000005
【図４】
2005235328.tif 000006
【図５】
2005235328.tif 000007
【図６】
2005235328.tif 000008
【図７】
2005235328.tif 000009
【図８】
2005235328.tif 000010
【図９】
2005235328.tif 000011